(57)【要約】【課題】  エンドガイドの位置合わせに連動してサイドガイドに対する外側への位置制限をする給紙カセット、及び、このような給紙カセットを備えた画像形成装置を得る。【解決手段】  カセット本体２２に収容する記録用紙に合わせてサイドガイド３０Ａ、３０Ｂに対する外側への位置制限をする場合には、エンドガイド３８をその記録用紙における後端の位置決め位置まで幅方向（矢印Ｗ方向）と直交する方向に移動すると、段差を備えたサイドストッパ４０がエンドガイド３８と連動して直線移動し、これによって、エンドガイド３８の位置に応じてサイドガイド３０Ａ、３０Ｂに対する制限位置を変える。【選択図】      図２
2007031046.tif 000002
【特許請求の範囲】
【請求項１】
記録媒体を収容する収容部材と、
前記収容部材の記録媒体送出し方向と直交する前記幅方向に移動可能とされ、前記収容部材に収容される前記記録媒体の端部に当って前記幅方向の位置決めをするサイドガイドと、
前記幅方向と直交する方向に移動可能とされ、前記収容部材に収容される前記記録媒体の後端に当って位置決めをするエンドガイドと、
前記エンドガイドと連動して直線移動可能とされる第１移動制限部と、前記サイドガイドと一体化して設けられる第２移動制限部とを備え、第１移動制限部と第２移動制限部とが当接して前記サイドガイドの前記幅方向の外側への移動を制限すると共に、前記エンドガイドの位置に応じて前記サイドガイドに対する制限位置を変える移動制限手段と、
を有することを特徴とする給紙カセット。
【請求項２】
前記第１移動制限部が前記幅方向における位置が異なる第１制限面と第２制限面とを備えた段差を有し、前記移動制限手段は、前記第１制限面と前記第２移動制限部とが当接する第１の位置と、前記第１の位置に比べて前記幅方向の内側であって前記第２制限面と前記第２移動制限部とが当接する第２の位置と、で前記サイドガイドの前記幅方向の外側への移動を制限することを特徴とする請求項１記載の給紙カセット。
【請求項３】
前記移動制限手段が前記サイドガイドを前記エンドガイドの移動に追従させて前記制限位置に応じた位置へ移動させることを特徴とする請求項１又は請求項２に記載の給紙カセット。
【請求項４】
前記第１移動制限部は、前記エンドガイドに取り付けられ、前記制限位置に合わせたカム溝が形成され、前記第２移動制限部は、前記カム溝に沿って移動可能な連結部であることを特徴とする請求項３記載の給紙カセット。
【請求項５】
前記移動制限手段は、Ａ４サイズの記録用紙の幅よりも外側への前記サイドガイドの移動を制限するＡ４制限位置と、レターサイズの記録用紙の幅よりも外側への前記サイドガイドの移動を制限するレター制限位置と、の間を移動可能とされることを特徴とする請求項１から４のいずれか一項に記載の給紙カセット。
【請求項６】
請求項１から５のいずれか一項に記載の給紙カセットから給紙された記録媒体に画像を形成することを特徴とする画像形成装置。
【発明の詳細な説明】
【技術分野】
【０００１】
本発明は、記録媒体を収容する給紙カセット、及び、給紙カセットを備えた画像形成装置に関する。
【背景技術】
【０００２】
給紙カセットにおいては、用紙の位置制限をするために、サイドガイド及びエンドガイドを配置する場合がある。このような給紙カセットでは、例えば、配置位置の調整が難しいサイドガイドの外側に、用紙サイズに応じた寸法のスペーサーを配設した状態としている（例えば、特許文献１参照）。
【０００３】
この従来の給紙カセットでは、エンドガイドの位置合わせと、サイドガイドに対する外側への位置制限とを別々にしなければならない。
【特許文献１】特許第３４８１７１２号公報
【発明の開示】
【発明が解決しようとする課題】
【０００４】
本発明は、上記事実を考慮して、エンドガイドの位置合わせに連動してサイドガイドに対する外側への位置制限をする給紙カセット、及び、このような給紙カセットを備えた画像形成装置を提供することを課題とする。
【課題を解決するための手段】
【０００５】
請求項１に記載する本発明の給紙カセットは、記録媒体を収容する収容部材と、前記収容部材の記録媒体送出し方向と直交する前記幅方向に移動可能とされ、前記収容部材に収容される前記記録媒体の端部に当って前記幅方向の位置決めをするサイドガイドと、前記幅方向と直交する方向に移動可能とされ、前記収容部材に収容される前記記録媒体の後端に当って位置決めをするエンドガイドと、前記エンドガイドと連動して直線移動可能とされる第１移動制限部と、前記サイドガイドと一体化して設けられる第２移動制限部とを備え、第１移動制限部と第２移動制限部とが当接して前記サイドガイドの前記幅方向の外側への移動を制限すると共に、前記エンドガイドの位置に応じて前記サイドガイドに対する制限位置を変える移動制限手段と、を有することを特徴とする。
【０００６】
請求項１に記載する本発明の給紙カセットによれば、収容部材に収容する記録媒体に合わせてサイドガイドに対する幅方向外側への位置制限をする場合には、エンドガイドをその記録媒体における後端の位置決め位置まで幅方向と直交する方向に移動すると、第１移動制限部がエンドガイドと連動して直線移動し、これによって、エンドガイドの位置に応じてサイドガイドに対する制限位置を変える。ここで、サイドガイドを幅方向の外側に移動させても、第１移動制限部と第２移動制限部とが当接してサイドガイドの幅方向の外側への移動が制限される。
【０００７】
請求項２に記載する本発明の給紙カセットは、請求項１記載の構成において、前記第１移動制限部が前記幅方向における位置が異なる第１制限面と第２制限面とを備えた段差を有し、前記移動制限手段は、前記第１制限面と前記第２移動制限部とが当接する第１の位置と、前記第１の位置に比べて前記幅方向の内側であって前記第２制限面と前記第２移動制限部とが当接する第２の位置と、で前記サイドガイドの前記幅方向の外側への移動を制限することを特徴とする。
【０００８】
請求項２に記載する本発明の給紙カセットによれば、第１の位置では、第１制限面と第２移動制限部とが当接してサイドガイドの幅方向の外側への移動を制限し、第２の位置では、第１の位置に比べて幅方向の内側において第２制限面と第２移動制限部とが当接してサイドガイドの幅方向の外側への移動を制限する。
【０００９】
請求項３に記載する本発明の給紙カセットは、請求項１又は請求項２に記載の構成において、前記移動制限手段が前記サイドガイドを前記エンドガイドの移動に追従させて前記制限位置に応じた位置へ移動させることを特徴とする。
【００１０】
請求項３に記載する本発明の給紙カセットによれば、移動制限手段が、サイドガイドをエンドガイドの移動に追従させて制限位置に応じた位置へ移動させるので、サイドガイドを別途位置決めする必要がない。
【００１１】
請求項４に記載する本発明の給紙カセットは、請求項３記載の構成において、前記第１移動制限部は、前記エンドガイドに取り付けられ、前記制限位置に合わせたカム溝が形成され、前記第２移動制限部は、前記カム溝に沿って移動可能な連結部であることを特徴とする。
【００１２】
請求項４に記載する本発明の給紙カセットによれば、エンドガイドを記録媒体における後端の位置決め位置まで移動すると、これに連動して第１移動制限部が移動すると共に、連結部が第１移動制限部のカム溝に沿って移動する。これによって、サイドガイドを制限位置に応じた位置へ移動させる。
【００１３】
請求項５に記載する本発明の給紙カセットは、請求項１から４のいずれか一項に記載の構成において、前記移動制限手段は、Ａ４サイズの記録用紙の幅よりも外側への前記サイドガイドの移動を制限するＡ４制限位置と、レターサイズの記録用紙の幅よりも外側への前記サイドガイドの移動を制限するレター制限位置と、の間を移動可能とされることを特徴とする。
【００１４】
請求項５に記載する本発明の給紙カセットによれば、移動制限手段によって、Ａ４サイズの記録用紙の幅よりも外側へのサイドガイドの移動と、レターサイズの記録用紙の幅よりも外側へのサイドガイドの移動と、を選択的に制限することができる。
【００１５】
請求項６に記載する本発明の画像形成装置は、請求項１から５のいずれか一項に記載の給紙カセットから給紙された記録媒体に画像を形成することを特徴とする。
【００１６】
請求項６に記載する本発明の画像形成装置によれば、記録媒体が給紙カセットから位置ずれなく供給され、この記録媒体に画像が形成される。
【発明の効果】
【００１７】
以上説明したように、本発明の給紙カセット及び画像形成装置によれば、エンドガイドの位置合わせに連動してサイドガイドに対する外側への位置制限ができるという優れた効果を有する。
【発明を実施するための最良の形態】
【００１８】
本発明における給紙カセット及び画像形成装置の第１の実施形態を図面に基づき説明する。
（第１の実施形態の構成）
図１に示される画像形成装置１０は、外部装置から入力された画像情報に基づいて記録媒体としての記録用紙に画像を形成するものであり、装置本体１２の下部に給紙カセット２０が配置されている。給紙カセット２０には、記録用紙が収容される。給紙カセット２０から給紙された記録用紙は、図示しない搬送手段により搬送され、画像形成装置１０内の図示しない画像形成部で画像が形成されて、装置本体１２の上部の排出部１４から排出される。
【００１９】
給紙カセット２０は、図２及び図３に示されるように、箱状に形成されて記録用紙を収容する収容部材としてのカセット本体２２を備えている。カセット本体２２は、長方形状の底面を構成する収容板２３と、この収容板２３の外周に沿って外枠を構成する枠壁２４とを備える。
【００２０】
図１に示されるように、給紙カセット２０は、装置本体１２に形成された給紙口１６から抜き差し方向（矢印Ｒ方向）に抜き差しすることで、着脱可能とされている。給紙カセット２０の引き出し手前側には、引出板２６が設けられており、この引出板２６は、給紙口１６を塞ぐサイズとされる。引出板２６の下部には、指掛部２６Ａが形成されており、この指掛部２６Ａは、記録用紙を供給する際に、ユーザが手（指）を掛けて給紙カセット２０を引き出しやすくするための指掛け用とされる。
【００２１】
図２に示されるように、給紙カセット２０の引出板２６の裏側上部には、リタードローラ２８が配置されている。このリタードローラ２８は、図示しないピックアップローラと共に記録用紙を記録用紙送出し方向（矢印Ｓ方向）に送り出すようになっている。
【００２２】
カセット本体２２における、記録用紙送出し方向（矢印Ｓ方向）と直交する幅方向（矢印Ｗ方向）の両側に配置された枠壁２４の内側には、２枚のサイドガイド３０Ａ、３０Ｂが設けられており、これらのサイドガイド３０Ａ、３０Ｂは、カセット本体２２に収容される記録用紙の端部に当って幅方向（矢印Ｗ方向）の位置決めをするための位置決め用とされている。
【００２３】
サイドガイド３０Ａ、３０Ｂは、略長方形板状とされ、板面が両サイドの枠壁２４と略平行になるように配置されている。サイドガイド３０Ａ、３０Ｂの下部には、両サイドの枠壁２４から離れる方向に延出された延出部３２Ａ、３２Ｂが形成されており、これらの延出部３２Ａ、３２Ｂは、幅方向（矢印Ｗ方向）に互いに平行に並ぶように配置されている。延出部３２Ａ、３２Ｂには、互いに相対する端辺部にラック歯Ｈが形成されている。
【００２４】
収容板２３の幅方向（矢印Ｗ方向）の中央部には、延出部３２Ａ、３２Ｂのラック歯Ｈと噛み合い可能なピニオン３４が回転可能に取り付けられている。また、収容板２３には、延出部３２Ａ、３２Ｂの下方で幅方向（矢印Ｗ方向）に延びるサイドガイド用スライド溝（図示省略）が形成されており、このサイドガイド用スライド溝には、延出部３２Ａ、３２Ｂの下面から下向きに突出された複数本のガイド軸（図示省略）が挿入されるようになっている。これにより、サイドガイド３０Ａ、３０Ｂは、ピニオン３４の中心から互いに等しい距離を保ちながら、サイドガイド用スライド溝（図示省略）に沿って、幅方向（矢印Ｗ方向）に移動可能とされる。
【００２５】
なお、延出部３２Ａ、３２Ｂ、及び、ピニオン３４の上方には、積載される記録用紙を給紙位置に押し上げるための底板（図示省略）が配置される。
【００２６】
カセット本体２２における、記録用紙送出し方向（矢印Ｓ方向）の後方内側には、エンドガイド３８が設けられており、このエンドガイド３８は、カセット本体２２に収容される記録用紙の後端に当って位置決めをするための位置決め用とされている。
【００２７】
収容板２３には、エンドガイド３８の下方を含んで幅方向（矢印Ｗ方向）と直交する方向に直線状に延びるエンドガイド用スライド溝３９が形成されており、このエンドガイド用スライド溝３９には、エンドガイド３８の下面から下向きに突出されたガイド軸（図示省略）が挿入されるようになっている。これにより、エンドガイド３８は、エンドガイド用スライド溝３９に沿って幅方向（矢印Ｗ方向）と直交する方向に移動可能とされている。
【００２８】
エンドガイド３８の上部には、幅方向（矢印Ｗ方向）の中央部につまみ部３８Ａが形成されており、このつまみ部３８Ａは、エンドガイド３８を移動させる際のユーザの把持用とされる。
【００２９】
エンドガイド３８の幅方向（矢印Ｗ方向）の一方側（図２の左側）端部には、記録用紙送出し方向（矢印Ｓ方向）に延びる第１移動制限部（移動制限手段）としてのサイドストッパ４０が固定されている。サイドストッパ４０は、略板状とされ、幅方向（矢印Ｗ方向）の外側板面がサイドの枠壁２４と略平行になるように配置されている。
【００３０】
収容板２３には、サイドストッパ４０の下方で幅方向（矢印Ｗ方向）と直交する方向に直線状に延びるサイドストッパ用スライド溝（図示省略）が形成されており、このサイドストッパ用スライド溝には、サイドストッパ４０の下面から下向きに突出された複数本のガイド軸（図示省略）が挿入されるようになっている。これにより、サイドストッパ４０は、エンドガイド３８と連動して幅方向（矢印Ｗ方向）と直交する方向に直線移動可能とされる。
【００３１】
サイドストッパ４０は、幅方向（矢印Ｗ方向）の内向き部分に段差を有し、幅方向（矢印Ｗ方向）における位置が異なる第１制限面１４０Ｂ、１４０Ｃ、１４０Ｄと第２制限面１４０Ａとを備える。すなわち、第１制限面１４０Ｂ、１４０Ｃ、１４０Ｄを備えた３個の凹部（エンドガイド３８に近い側から順に、第１凹部４０Ｂ、第２凹部４０Ｃ、第３凹部４０Ｄ）が形成されると共に、幅方向（矢印Ｗ方向）の内側へ突出して第２制限面１４０Ａを備えた凸部４０Ａが形成される。
【００３２】
また、サイドガイド３０Ｂは、サイドガイド３０Ｂと一体化した第２移動制限部（移動制限手段）としての当接部３１Ｂが設けられ、この当接部３１Ｂは、幅方向（矢印Ｗ方向）の外側へ突出して第１制限面１４０Ｂ、１４０Ｃ、１４０Ｄ（第１〜第３凹部４０Ｂ、４０Ｃ、４０Ｄ）及び第２制限面１４０Ａ（凸部４０Ａ）と当接可能な凸状とされる。サイドストッパ４０の第１制限面１４０Ｂ、１４０Ｃ、１４０Ｄ及び第２制限面１４０Ａとサイドガイド３０Ｂの当接部３１Ｂとが当接してサイドガイド３０Ｂの幅方向（矢印Ｗ方向）の外側への移動を制限するようになっている。
【００３３】
本実施形態では、第１制限面１４０Ｂ、１４０Ｃ、１４０Ｄと当接部３１Ｂとが当接する第１の位置（一例として図２及び図３参照）と、第１の位置に比べて幅方向（矢印Ｗ方向）の内側であって第２制限面１４０Ａと当接部３１Ｂとが当接する第２の位置（図４参照）と、でサイドガイド３０Ａ、３０Ｂの幅方向（矢印Ｗ方向）の外側への移動を制限するようになっている。
【００３４】
ここで、図３に示される第１の位置では、第１凹部４０Ｂの第１制限面１４０Ｂと当接部３１Ｂとの当接によってサイドガイド３０Ｂの移動を制限する。図３は、レター制限位置を示し、第１凹部４０Ｂの第１制限面１４０Ｂと当接部３１Ｂとが、レターサイズ（２１５．９×２７９．４ｍｍ）の記録用紙の幅（２１５．９ｍｍ）よりも外側へのサイドガイド３０Ｂの移動を制限している。なお、図３では、図を見易くするために、便宜上、当接部３１Ｂと第１凹部４０Ｂとの間に若干の隙間を設けて図示しているが、実際には、当接部３１Ｂが第１凹部４０Ｂの第１制限面１４０Ｂと当接されることになる。
【００３５】
また、図４に示される第２の位置では、凸部４０Ａの第２制限面１４０Ａと当接部３１Ｂとの当接によってサイドガイド３０Ｂの移動を制限する。図４は、Ａ４制限位置を示し、凸部４０Ａの第２制限面１４０Ａ及び当接部３１Ｂが、Ａ４サイズ（２１０×２９７ｍｍ）の記録用紙の幅（２１０ｍｍ）よりも外側へのサイドガイド３０Ｂの移動を制限している。なお、図４では、図を見易くするために、便宜上、当接部３１Ｂと凸部４０Ａとの間に若干の隙間を設けて図示しているが、実際には、当接部３１Ｂが凸部４０Ａの第２制限面１４０Ａと当接されることになる。
【００３６】
サイドストッパ４０の配置位置は、エンドガイド３８に連動して幅方向（矢印Ｗ方向）と直交する方向に直線移動し、エンドガイド３８の位置に応じてサイドガイド３０Ｂに対する制限位置を変えることになる。
【００３７】
なお、図示を省略するが、ＬＥＧＡＬ１３’（２１５．９×３３０．２ｍｍ）の記録用紙をセットする場合には、当接部３１Ｂと第２凹部４０Ｃの第１制限面１４０Ｃとを当接させ、ＬＥＧＡＬ１４’ （２１５．９×３５５．６ｍｍ）の記録用紙をセットする場合には、当接部３１Ｂと第３凹部４０Ｄの第１制限面１４０Ｄとを当接させることになる。
（第１の実施形態の記録用紙セット手順及び作用）
次に、図１に示される給紙カセット２０及び画像形成装置１０における記録用紙のセット手順、及び上記実施形態の作用について説明する。
【００３８】
給紙する記録用紙のサイズをレターサイズからＡ４サイズに変更する場合には、まず、ユーザが指掛部２６Ａに手（指）を掛けて給紙カセット２０を引き出す。このとき、図２及び図３に示される位置に給紙カセット２０におけるエンドガイド３８及びサイドガイド３０Ａ、３０Ｂは、配置されている。
【００３９】
ここで、ユーザは、セットされているレターサイズの記録用紙を取り出し、サイドガイド３０Ａ、３０Ｂを幅方向（矢印Ｗ方向）の内側へ一旦移動させる。次に、ユーザは、エンドガイド３８のつまみ部３８Ａを把持して記録用紙送出し方向（矢印Ｓ方向）と反対方向に引き、エンドガイド３８をエンドガイド用スライド溝３９に沿って移動させて、図４に示されるように、エンドガイド３８の位置をＡ４サイズの位置に合わせる。
【００４０】
これによって、サイドストッパ４０は、エンドガイド３８と連動して記録用紙送出し方向（矢印Ｓ方向）と反対方向に直線移動して図４に示される位置に配置される。このとき、凸部４０Ａの第２制限面１４０Ａは、エンドガイド３８の位置（Ａ４サイズ用の位置）に応じたサイドガイド３０Ａ、３０Ｂに対する制限位置に配置される。
【００４１】
次に、サイドガイド３０Ａ、３０Ｂを幅方向（矢印Ｗ方向）の外側へ移動させると、一方のサイドガイド３０Ｂにおける凸状の当接部３１Ｂが、サイドストッパ４０の凸部４０Ａの第２制限面１４０Ａに当接して一方のサイドガイド３０Ｂの幅方向（矢印Ｗ方向）の外側への移動を制限する。このとき、他方のサイドガイド３０Ａは、ピニオン３４を介して一方のサイドガイド３０Ｂと連動しているので、一方のサイドガイド３０Ａの移動が制限されると、他方のサイドガイド３０Ｂの移動も制限されることになる。
【００４２】
この状態で、Ａ４サイズの記録用紙を給紙カセット２０内のサイドガイド３０Ａ、３０Ｂ及びエンドガイド３８によって区画された範囲にセットした後、給紙カセット２０を押し込んで図１に示される画像形成装置１０内に配置する。
【００４３】
なお、給紙する記録用紙のサイズをＡ４サイズからレターサイズに変更する場合等のような他の変更の場合にも、上記とほぼ同様の流れで記録用紙をセットすることになるので、これらの場合の説明は省略する。
【００４４】
このように、図２に示される本実施形態の給紙カセット２０では、エンドガイド３８の位置合わせに連動してサイドガイド３０Ａ、３０Ｂに対する外側への位置制限ができる。ここで、レターサイズの記録用紙とＡ４サイズの記録用紙との用紙幅の差は、５．９ｍｍであり、中央基準で記録用紙をセットする場合には、各セット時におけるサイドガイド３０Ａ、３０Ｂのそれぞれの位置の差は、さらにその１／２と僅かな差となるが、本実施形態のようにサイドストッパ４０をエンドガイド３８に連動させれば、容易かつ確実にサイドガイド３０Ａ、３０Ｂを位置制限することができる。
【００４５】
また、サイドストッパ４０をエンドガイド３８に直接取り付けてエンドガイド３８と共に幅方向（矢印Ｗ方向）と直交する方向に直線移動させているので、給紙カセット２０を大型化させずに課題を解決することができる。
【００４６】
また、本実施形態の画像形成装置１０では、サイドガイド３０Ａ、３０Ｂの位置ずれによる記録用紙のジャムや形成される画像のズレを防ぐことができ、給紙カセット２０から適正に給紙された記録用紙に画像を形成することができる。
【００４７】
なお、第１の実施形態の変形例として、第１の実施形態におけるサイドガイド３０Ｂを付勢手段によって幅方向（矢印Ｗ方向）の内側から外側へ向かう方向に常時付勢させてもよい。ここで、本実施形態のように、凸部４０Ａ、第１〜第３凹部４０Ｂ、４０Ｃ、４０Ｄの側部に傾斜を設けると共に、凸状の当接部３１Ｂの両側部に傾斜を設けていれば、付勢手段によってエンドガイド３８の位置に応じてサイドガイド３０Ａ、３０Ｂの位置決めをすることができる。
【００４８】
また、第１の実施形態では、サイドガイド３０Ｂが凸部４０Ａの第２制限面１４０Ａと当接可能な凸状の当接部３１Ｂを備える場合について説明したが、当接部は、凸部と当接可能な凹状の当接部としてもよい。
（第２の実施形態）
次に、給紙カセット及び画像形成装置の第２の実施形態を図５及び図６に基づき説明する。なお、第１の実施形態と同様の構成部分については、同一符号を付して説明を省略する。
【００４９】
図５に示されるように、エンドガイド３８の幅方向（矢印Ｗ方向）の一方側（図２の左側）寄りの下部には、記録用紙送出し方向（矢印Ｓ方向）に延びる第１移動制限部（移動制限手段）としてのカム板４２が取り付けられている。カム板４２は、エンドガイド３８と連動して直線移動可能とされる。このカム板４２には、一方のサイドガイド３０Ｂに対する幅方向（矢印Ｗ方向）の外側への制限位置に合わせたカム溝４４が形成されている。
【００５０】
このカム溝４４は、段差状とされ、幅方向（矢印Ｗ方向）における位置が異なる第１制限面４４Ｂ、４４Ｃ、４４Ｄと第２制限面４４Ａとを備える。なお、第１制限面４４Ｂ、４４Ｃ、４４Ｄは、第１の実施形態における第１制限面１４０Ｂ、１４０Ｃ、１４０Ｄ（図２〜図４参照）と幅方向（矢印Ｗ方向）における位置が同じであり、第２制限面４４Ａは、第１の実施形態における第２制限面１４０Ａ（図２〜図４参照）と幅方向（矢印Ｗ方向）における位置が同じである。
【００５１】
このカム溝４４には、連結部としての連結ピン３６が挿入配置される。連結ピン３６は、一方のサイドガイド３０Ｂの幅方向（矢印Ｗ方向）外側に着脱可能に一体化して取り付けられ、カム溝４４に沿って移動可能とされている。
【００５２】
カム板４２の上方には、図５において二点鎖線で図示した平板状の下板４６が配置され、この下板４６は、収容板２３との間に間隔をおいてカセット本体２２に固定されている。下板４６には、連結ピン用スライド溝４８が幅方向（矢印Ｗ方向）に延びて形成されている。この連結ピン用スライド溝４８には、連結ピン３６の下部が挿入されるようになっており、連結ピン３６を幅方向（矢印Ｗ方向）に案内するようになっている。
【００５３】
下板４６上には、サイドガイド３０Ａ、３０Ｂ、及び、ピニオン３４が配置される（サイドガイド３０Ｂについては図６参照）。下板４６には、サイドガイド３０Ａ、３０Ｂの延出部３２Ａ、３２Ｂから下向きに突出した複数のガイド軸（図示省略）が幅方向（矢印Ｗ方向）に移動できるように、サイドガイド用スライド溝（図示省略）が幅方向（矢印Ｗ方向）に延びて形成されると共に、ピニオン３４に固着された軸部が貫通される貫通孔（図示省略）が形成される。
【００５４】
サイズの異なる記録用紙をセットする場合には、給紙カセット２０から記録用紙を取り出した後に、エンドガイド３８を所望の位置へ移動させると、カム板４２が連動し、エンドガイド３８の位置に応じて、カム溝４４により定まる制限位置が変わる。一方のサイドガイド３０Ｂに取り付けられた連結ピン３６は、カム溝４４及び連結ピン用スライド溝４８に沿って移動し、これに伴いサイドガイド３０Ａ、３０Ｂが制限位置に応じた位置へ移動する。このように、サイドガイド３０Ａ、３０Ｂをエンドガイド３８の移動に追従させて制限位置に応じた位置へ移動させるので、記録用紙セット時の位置決め作業を容易にすることができる。
【００５５】
なお、連結ピン３６をサイドガイド３０Ｂから取り外せば、サイドガイド３０Ｂは、カム溝４４に追従しなくなるので、サイドガイド３０Ａ、３０Ｂを特殊用紙等に対応した自由な位置に配置することもできる。
【００５６】
なお、上記第２の実施形態では、連結部としての連結ピン３６がサイドガイド３０Ｂに着脱可能に一体化して取り付けられているが、連結部は、例えば、サイドガイドの一部に形成されてカム溝に沿って移動可能な連結部等のような他の連結部としてもよい。
【００５７】
また、上記第１、第２の実施形態では、第１移動制限部としてのサイドストッパ４０やカム板４２がエンドガイド３８に直接取り付けられることで、第１移動制限部をエンドガイドと連動させているが、例えば、エンドガイドと第１移動制限部との間に他部材（例えば、歯車等）を介在させて第１移動制限部をエンドガイドに連動させる等のような他の連動機構で第１移動制限部をエンドガイドに連動させてもよい。ここで、第１移動制限部を移動させる方向は、幅方向と直交する方向に限定されず、幅方向に対して斜め方向にする等の他の方向としてもよい。
【００５８】
さらに、上記第１、第２の実施形態では、記録媒体として記録用紙が適用される場合について説明したが、記録媒体は、例えば、記録シート等の他の記録媒体であってもよい。
【図面の簡単な説明】
【００５９】
【図１】本発明の第１の実施形態に係る画像形成装置を示す斜視図である。
【図２】本発明の第１の実施形態に係る給紙カセットを示す斜視図である。
【図３】本発明の第１の実施形態に係る給紙カセットを示す平面図である（レターサイズセット時の配置を示す。）。
【図４】本発明の第１の実施形態に係る給紙カセットを示す平面図である（Ａ４サイズセット時の配置を示す。）。
【図５】本発明の第２の実施形態に係る給紙カセットを示す平面図である（下板を透視した状態で示す。）。
【図６】本発明の第２の実施形態に係る給紙カセットを示す断面図である（図５の６−６線断面に相当する図である。）。
【符号の説明】
【００６０】
１０    画像形成装置
２０    給紙カセット
２２    カセット本体（収容部材）
３０Ａ  サイドガイド
３０Ｂ  サイドガイド
３１Ｂ  当接部（第２移動制限部（移動制限手段））
３６    連結ピン（連結部（第２移動制限部（移動制限手段）））
３８    エンドガイド
４０    サイドストッパ（第１移動制限部（移動制限手段））
４２    カム板（第１移動制限部（移動制限手段））
４４    カム溝
４４Ａ  第２制限面
４４Ｂ  第１制限面
４４Ｃ  第１制限面
４４Ｃ  第１制限面
１４０Ａ  第２制限面
１４０Ｂ  第１制限面
１４０Ｃ  第１制限面
１４０Ｄ  第１制限面
Ｓ      記録用紙送出し方向（記録媒体送出し方向）
Ｗ      幅方向
【図１】
2007031046.tif 000003
【図２】
2007031046.tif 000004
【図３】
2007031046.tif 000005
【図４】
2007031046.tif 000006
【図５】
2007031046.tif 000007
【図６】
2007031046.tif 000008